(57)【要約】【課題】広い用途において使用でき、デザインや機能面において優れ、１着で様々に着用が可能なエプロンを提供することを課題とする。【解決手段】第１身当て布１１の側と第２身当て布１２の側のどちらを前面にしても着用できるエプロン１を提供する。第１身当て布１１の側と第２身当て布１２の側とのそれぞれについて着用状態を変えることで、複数の着用状態を選択することができ、エプロン１を見る者に異なる印象を持たせることができる。又、袖ぐり３の曲率半径Ｒ１１，Ｒ１２を変えて形成することにより、袖ぐり３の部分が広すぎて脇が開いたり、狭すぎて腕の動作が窮屈になることもなく快適にエプロンを着用することができる。又、各身当て布１１，１２の幅寸法Ｗに余裕があるため、着用者の体型を選ばない。又、ハンディターミナル用ポケットを形成することにより、ハンディターミナルを使用する飲食店等に適したエプロン１を提供することができる。【選択図】　　　　　図１
2004027453.tif 000002
【特許請求の範囲】
【請求項１】
着用時において、着用者の前後側のいずれかに位置する第１身当て布（１１）と、
着用時において、第１身当て布（１１）とは着用者の反対側に位置する第２身当て布（１２）とを備え、
第１身当て布（１１）と第２身当て布（１２）との間の中央には、着用者の頭部が貫通する貫頭孔（２）を備えるものであり、
第１身当て布（１１）と第２身当て布（１２）の幅寸法（Ｗ）が略同一であり、
第１身当て布（１１）、第２身当て布（１２）のいずれを前方にしても着用が可能であることを特徴とするエプロン。
【請求項２】
第１身当て布（１１）と第２身当て布（１２）との接合部分の左右側には、切欠きである袖ぐり（３）が形成されており、
この袖ぐり（３）における、第１身当て布（１１）側の側辺（１１ｂ）の曲率半径（Ｒ１１）よりも、第２身当て布（１２）側の側辺（１２ｂ）の曲率半径（Ｒ１２）の方が大きいものであることを特徴とする、請求項１に記載のエプロン。
【請求項３】
第１身当て布（１１）と第２身当て布（１２）の幅寸法（Ｗ）が、
胴周りの大きな着用者が着用した際においても、各身当て布（１１，１２）の重複部分が確保できる寸法であることを特徴とする、請求項１又は２に記載のエプロン。
【請求項４】
飲食店等で使用される、電算化された携帯端末であるハンディターミナルを収納するためのポケット（５１）を有することを特徴とする、請求項１から３に記載のエプロン。
【発明の詳細な説明】
【０００１】
【発明の属する技術分野】
本願発明は、家庭や、飲食店等の各種の店舗において着用されるエプロンに関するものである。
【０００２】
【従来の技術】
従来から、着用者の前面と背面にそれぞれ布片を配位させて着用する形態のエプロンが存在していた。その一例として、実開平１−１７３１２２号公報に掲載されている「介護用エプロン」があげられる。
このエプロンは、略四角形であって、それぞれ幅寸法の異なる後当て片と前当て片とを有し、後当て片と前当て片との間には首貫通穴を備えるものであり、首貫通穴にポンチョのようにして着用者の頭部を貫通させ、身体の後側に配位した後当て片に対して前当て片の一部を被せるようにして配位させ、後当て片と前当て片の側辺にそれぞれ設けられた紐体を結ぶことによって着用する。
尚、このエプロンの素材には防水加工された布体が用いられており、上記のように着用することによって、着用者は防水加工された布体に覆われるため、入浴介助等を行う際等に、着用者が衣服を濡らすことがない。
【０００３】
この従来のエプロンについては、上記のように後当て片と前当て片とで幅寸法が異なるため、着用の方向が限定されていた。又、用途が介護用であったため、デザイン面についてはさほど重視されていなかった。
ところで、ファミリーレストラン等の飲食店においては、顧客に好感を持たれる服装で接客することが要求されており、このことからデザイン的に優れるエプロンを求める声があった。
そして、最近では、注文伝票としてハンディターミナル（電算化された携帯端末）が多く用いられている。このハンディターミナルは、一般によく見られるリモコンに似た、扁平で細長い略直方体形状をしており、小さなポケットのエプロンでは収納できなかったり、ポケットから外れて落下し、破損させてしまう場合があった。
【０００４】
【発明が解決しようとする課題】
本願発明は上記の問題に鑑みてなされたものであり、広い用途において使用でき、デザインや機能面において優れ、１着で様々に着用が可能なエプロンを提供することを課題とする。
【０００５】
【課題を解決するための手段】
上記課題を解決するために、本願第１の発明は、着用時において、着用者の前後側のいずれかに位置する第１身当て布１１と、着用時において、第１身当て布１１とは着用者の反対側に位置する第２身当て布１２とを備え、第１身当て布１１と第２身当て布１２との間の中央には、着用者の頭部が貫通する貫頭孔２を備えるものであり、第１身当て布１１と第２身当て布１２の幅寸法Ｗが略同一であり、第１身当て布１１、第２身当て布１２のいずれを前方にしても着用が可能であることを特徴とするエプロンを提供する。
ここで「略同一」という表現は、第１身当て布１１と第２身当て布１２のどちらを前方に着用しても、着用者の腹部及び背中がカバーできる寸法であることを条件に、第１身当て布１１と第２身当て布１２の幅寸法Ｗに若干の寸法差を許容するという意味である。具体的な寸法差としては、例えば１５０ｍｍ以内、より望ましくは１００ｍｍ以内である。
【０００６】
本願第２の発明は、第１の発明において、第１身当て布１１と第２身当て布１２との接合部分の左右側には、切欠きである袖ぐり３が形成されており、この袖ぐり３における、第１身当て布１１側の側辺１１ｂの曲率半径Ｒ１１よりも、第２身当て布１２側の側辺１２ｂの曲率半径Ｒ１２の方が大きいものであることを特徴とするエプロンを提供する。
【０００７】
本願第３の発明は、第１又は第２の発明において、第１身当て布１１と第２身当て布１２の幅寸法Ｗが、胴周りの大きな着用者が着用した際においても、各身当て布１１，１２の重複部分が確保できる寸法であることを特徴とするエプロンを提供する。
【０００８】
本願第４の発明は、第１から第３のいずれかの発明において、飲食店等で使用される、電算化された携帯端末であるハンディターミナルを収納するためのポケット５１を有することを特徴とするエプロンを提供する。
【０００９】
【発明の実施の形態】
以下、図面に基づき本願発明に係るエプロンの実施の形態の一例をとりあげて説明する。図１〜図４は本例のエプロンを広げた状態を示す図であり、図５〜図８は本例のエプロンの各着用状態を示す参考図である。
【００１０】
本例のエプロン１は、正面図である図１に示すように、略長方形の２枚の布体１１，１２を連結したものである。
ここで、区別のためにこれら布体の一方を第１身当て布１１、他方を第２身当て布１２として以下に説明する。「第１身当て布」、「第２身当て布」とは説明のための便宜上の名称であり、これによって着用方向等を限定するものではない。
尚、このエプロンの素材については、一般的な織布に限定されるものではなく、不織布、軟質樹脂シート、強化加工した紙等、種々のものを用いることができる。
【００１１】
第１身当て布１１と第２身当て布１２はそれぞれ略同一形状に形成されている。そのため、第１身当て布１１と第２身当て布１２とのどちらを前方向にしても着用が可能となっている。本例では、この第１身当て布１１と第２身当て布１２の幅寸法Ｗをそれぞれ等しく７６０ｍｍに形成しており、これは、標準的な体型の女性が着用した場合に胴回りの約２／３が覆われる状態を想定した寸法となっている。
第１身当て布１１と第２身当て布１２とは、それぞれの一部を重なり合わせて着用するため、着用者の胴周りに対する自由度が大きい。よって、着用者が男性や、肥満気味の人や、妊婦であっても着用が可能であり、マタニティウェアとして着用することも可能である。尚、本例のエプロン１においては、着用者の胴回り（最大寸）が１０４ｃｍまでの対応が可能となっている。
ここで、本願発明に係るエプロン１における幅寸法Ｗの最大・最小寸法について述べる。幅寸法Ｗがあまりに大きいと、着用者の身体を各身当て片１１，１２が完全に取り巻いてしまい、身動きがとれなくなるため、最大寸法は９１０ｍｍ、望ましくは８６０ｍｍとする。一方、幅寸法Ｗがあまりに小さいと、着用者の身体を覆うことができなくなるため、最小寸法は６１０ｍｍ、望ましくは６６０ｍｍとする。つまり幅寸法Ｗは、７６０ｍｍプラスマイナス１５０ｍｍ、望ましくはプラスマイナス１００ｍｍの範囲で製作が可能である。
【００１２】
第１身当て布１１と第２身当て布１２との継ぎ目の中央には、貫頭孔２が形成されている。着用時には、この貫頭孔２に頭部を通すことにより、着用者の首に第１身当て布１１と第２身当て布１２とを吊り下げるようにする。尚、貫頭孔２は本例においては、図１に示すような、幅方向における中央部分に設けられた略楕円形状の孔であるが、この形状に限られるものではなく、長方形や多角形等、種々の形状であっても良い。
又、図示はしないが、貫頭孔２と袖ぐり３の側辺１１ｂ，１２ｂとの間の肩部２ａ，２ａのいずれか一方、あるいは両方に切り目を形成して、貫頭孔２を側辺１１ｂ，１２ｂに対して開放できるようにし、この切り目をボタンやチャックや面ファスナー等により開閉可能としても良い。その場合は、着用者の頭部の上方から被らずに、首の横から水平方向にずらすようにして着用することも可能であり、身体に障害を有する着用者等の場合、最も着やすい着用方法を選択することができる。
【００１３】
又、本例においては、貫頭孔２の左右側の側辺１１ｂ，１２ｂは湾曲しており、切り欠かれたような形状となっている。この部分が袖ぐり３である。この袖ぐり３は、着用時に、着用者の腕の周囲に位置する部分であり、肩部２ａ，２ａから着用者の脇の位置する部分にかけての、各身当て布１１，１２の左右の側辺１１ａ，１２ａが略長半円状となるように切り欠かれて形成される。
本願発明においては、第１身当て布１１側と第２身当て布１２側との袖ぐり３の大きさが異なっている。本例においては、袖ぐり３における第１身当て布１１側の側辺１１ｂの曲率半径Ｒ１１と、第２身当て布１２側の側辺１２ｂの曲率半径Ｒ１２とを比較すると、Ｒ１１＜Ｒ１２となっている。つまり、第１身当て布１１側よりも第２身当て布１２側の方が、袖ぐり３に余裕を持たせて形成している。
本願発明のエプロン１を着用する際には、第１身当て布１１と第２身当て布１２の一部とが重なるが、袖ぐり３の部分についても同時に重なる。そして上記のように、側辺１１ｂの曲率半径Ｒ１１を小さ目に、第２身当て布１２側の側辺１２ｂの曲率半径Ｒ１２を大き目に形成しているため、着用時には、第１身当て布１１側の袖ぐり３（側辺１１ｂ）は着用者の腕に対してやや密着し、第２身当て布１２側の袖ぐり３（側辺１２ｂ）は腕に対して余裕を持って配位される。
これにより、側辺１１ｂの曲率半径Ｒ１１と第２身当て布１２側の側辺１２ｂの曲率半径Ｒ１２とが共に大きい場合は、袖ぐり３の部分が広くなりすぎ、エプロン１の内側に着用しているブラウスの脇の部分が見えたりすることがあるのに対し、本願発明の袖ぐり３においては、このようなことがなく、エプロン１をすっきりと着用することができる。
又、上記とは逆に、側辺１１ｂの曲率半径Ｒ１１と第２身当て布１２側の側辺１２ｂの曲率半径Ｒ１２とが共に小さい場合は、袖ぐり３の部分が狭くなりすぎ、脇の下が圧迫されて腕の動作が窮屈になることがあるのに対し、本願発明の袖ぐり３においては、このようなことがなく、着用感が快適である。
【００１４】
ここで、貫頭孔２に着用者の首を通しただけでは、身当て布１１，１２が着用者の身体に対してぶら下がったままの状態である。この状態の身当て布１１，１２を身体に密着させるための手段として、本例では第１身当て布１１と第２身当て布１２の各側辺１１ａ，１２ａにそれぞれ紐体４１，４２を設けている。本例における紐体４１，４２の取り付け位置は、各身当て布１１，１２の直線状の側辺１１ａ，１２ａと袖ぐり部分３の側辺１１ｂ，１２ｂとの交点付近である。そして、第１身当て布１１側の紐体４１にはワンタッチ式のバックル４１ａ，４１ｂが取り付けられており、一方の紐体４１と他方の紐体４１のバックル４１ａ，４１ｂを連結させることで簡単に紐体４１同士を結合することができる。一方、第２身当て布１２側の紐体４２は、結ぶことにより結合する。
【００１５】
ポケット５は、図１に示すように各身当て布１１，１２に複数設けられる。
最近は、ファミリーレストランなどの飲食店において、電子化された注文伝票である、いわゆるハンディターミナルによって行われることが多い。このハンディターミナルは、家電製品等に用いられているリモコンと同様に、扁平な略直方体形状のものであり、これに対応させるために、本例では、第２身当て布１２において、着用時の腰の位置にハンディターミナルが収納可能な大きさを有するハンディターミナル用ポケット５１を設けている。これにより、ハンディターミナルを確実に持ち運ぶことができ、落として破損させてしまう可能性を減らすことができる。
又、エプロン１の着用状態によっては、ハンディターミナル用ポケット５１が第１身当て布１１に重ねられて隠れる場合があるが、この際も内側ポケットとしての利用が可能となっている。そのため、どの着用状態においてもハンディターミナルをハンディターミナル用ポケット５１に収納して使用することが可能である。
又、本例では、第１身当て布１１において、着用時の胸の位置にペンを差すためのペン用ポケット５２を設けている。
上記のように、ポケット５の形態や設ける位置は、エプロン１の用途に適合させるようにして、種々に変更して実施が可能である。
【００１６】
上記に示したように、本願発明に係るエプロン１は、第１身当て布１１側と第２身当て布１２側のどちらを前面に位置するように着用しても良い。又、第１身当て布１１側と第２身当て布１２側とのそれぞれについても、重ね方を変えることにより２通りの着用が可能である。つまり、４通りの着用状態を選択することができる。
よって、それぞれの着用状態によって紐体４１，４２やポケット５の見える位置が異なり、エプロン１を見る者に異なる印象を持たせることができる。
尚、このエプロン１を、いわゆるリバーシブルタイプとすれば、裏側を表にして着用することも可能であり、上記の倍である８通りの着用状態を選択することができる。
【００１７】
図５〜図８に本例のエプロン１における各着用状態イ〜ニを示す。図５に示す着用状態イは、第１身当て布１１を着用者の前面に配位したものである。この場合、第２身当て布１２については着用者の背面から前面にかけて配位しているが、着用者の前面では第１身当て布１１の内側に隠れており、外からは見えない。一方、図６に示す着用状態ロは、着用状態イと同じく、第１身当て布１１を着用者の前面に配位したものであるが、こちらは第２身当て布１２を第１身当て布１１の表側に重ねるようにして着用するものである。そして、図７に示す着用状態ハは、第２身当て布１２を着用者の前面に配位したものである。この場合、第１身当て布１１は着用者の背面から前面にかけて配位しているが、着用者の前面では第２身当て布１２の内側に隠れており、外からは見えない。一方、図８に示す着用状態ロは、着用状態イと同じく、第１身当て布１１を着用者の前面に配位したものであるが、こちらは第１身当て布１１を第２身当て布１２の表側に重ねるようにして着用するものである。
【００１８】
本願発明に係るエプロン１の着用方法についてまとめると、従来と同じく、ポンチョのようにして、貫頭孔２に頭部を通し（貫頭孔２に切り目を形成した場合においては、切り目を開けて着用者の首を通し、その後切り目を閉じることにより貫頭孔２に頭部を通しても良い。）、その後第１身当て布１１あるいは第２身当て布１２のいずれかを、紐体４１あるいは紐体４２を結ぶことによって身体に密着させる。そして、もう一方の身当て布１１，１２を、すでに密着された身当て布１１，１２の一部を覆うようにして配位し、紐体４１，４２を結ぶ。
尚、本例の場合は、第１身当て布１１側の紐体４１にバックル４１ａ，４１ｂが取り付けられており、ワンタッチで簡単に紐体４１同士を結合することができる。
上記のように着用できるため、身体に障害のある着用者でも、その人に合わせた着用方法をとることができ、比較的容易にエプロン１を着用することができる。例えば、着用者が肢体不自由者であっても座ったままでの着用が可能である。
【００１９】
本願発明に係るエプロン１は、上記のようにいろいろな着用状態で着ることができるため、例えば、レストラン、カフェ、花屋、ギフト店等の各種店舗の店員が着用したり、妊婦がマタニティウェアとして着用したり、介護用や看護用等、種々の用途で、種々の着用方法にて使用できる、使い勝手の良いエプロンを提供することができる。尚、これは、最近注目されている、多様な人々に対する適応を目指すデザイン、いわゆるユニバーサルデザインの考えにも通じるものである。
【００２０】
【発明の効果】
本願第１の発明にあっては、第１身当て布側と第２身当て布側のどちらを前面にして着用しても良い。そして、第１身当て布側と第２身当て布側とのそれぞれについても着用状態を変えることで、複数の着用状態を選択することができ、エプロンを見る者に異なる印象を持たせることができる。
又、本願第２の発明にあっては、上記の効果に加え、袖ぐりの曲率半径を変えて形成することにより、袖ぐりの部分が広すぎて脇が開いたり、狭すぎて腕の動作が窮屈になることもなく、快適にエプロンを着用することができる。
又、本願第３の発明にあっては、上記第１又は第２の効果に加え、各身当て布の幅寸法に余裕があるため、着用者の体型を選ばないエプロンを提供することができる。
又、本願第４の発明にあっては、上記第１から第３のいずれかの効果に加え、ハンディターミナルを使用する飲食店等に適したエプロンを提供することができる。
【図面の簡単な説明】
【図１】本願発明に係るエプロンの実施の一例を示す正面図である。
【図２】同背面図である。
【図３】（Ａ）は同平面図であり、（Ｂ）は同底面図である。
【図４】（Ａ）は右側面図であり、（Ｂ）は左側面図である。
【図５】着用状態イを示す説明図である。
【図６】着用状態ロを示す説明図である。
【図７】着用状態ハを示す説明図である。
【図８】着用状態ニを示す説明図である。
【符号の説明】
１１　　　第１身当て布
１１ｂ　　第１身当て布側の側辺
１２　　　第２身当て布
１２ｂ　　第２身当て布側の側辺
２　　　　貫頭孔
３　　　　袖ぐり
５１　　　ハンディターミナル用ポケット
Ｒ１１　　　　第１身当て布側の側辺の曲率半径
Ｒ１２　　　　第２身当て布側の側辺曲率半径
Ｗ　　　　身当て布の幅寸法
【図１】
2004027453.tif 000003
【図２】
2004027453.tif 000004
【図３】
2004027453.tif 000005
【図４】
2004027453.tif 000006
【図５】
2004027453.tif 000007
【図６】
2004027453.tif 000008
【図７】
2004027453.tif 000009
【図８】
2004027453.tif 000010